(57)【特許請求の範囲】
【請求項１】
内部に空間を有するコンテナ（１００）、
前記コンテナ（１００）の上部に備えられ、リサイクル品が入った袋が投入されるホッパー（２００）、
前記コンテナ（１００）の内部に設置され、供給された前記袋を破袋する破袋手段（３００）、及び、
前記ホッパー（２００）から投入された袋を破袋手段（３００）に供給する定量供給機（４００）、を含み、
前記定量供給機（４００）は、
前記ホッパー（２００）の下部両側及び前記破袋手段（３００）の上部両側にそれぞれ備えられるスプロケット（４１０）、
前記スプロケット（４１０）に巻かれて回転するチェーン（４２０）、
両チェーン（４２０）間を連結し、長さ方向に一定間隔で設置される横帯（４３０）、
前記チェーン（４２０）の下部に設置され、前記チェーン（４２０）の垂れを防止する基台（４４０）、
前記横帯（４３０）の周りに巻かれるベルト（４５０）、
前記ベルト（４５０）の周りに一定の間隔で垂直に設置される区画板（４６０）、
前記ベルト（４５０）の上部両側に備えられる側板（４７０）、
上段は前記側板（４７０）に固定され、下段は前記ベルト（４５０）の上段に置かれて前記側板（４７０）と前記ベルト（４５０）との間の隙間を遮断する遮蔽板（４８０）、及び、
前記ベルト（４５０）の下部に備えられ、前記ベルト（４５０）に沿ってリターンされる過程で落下する異物を支えるゴミ取り（４９０）、を含むことを特徴とする廃棄物及び従量制袋破袋機。
【請求項２】
前記破袋手段（３００）は、
枠体を形成し、枠体の内部に各構成品を収容するハウジング（３１０）、
外周面に第１カッター（３２１）が一定間隔で設置される第１回転軸（３２０）、
前記第１回転軸（３２０）と対向して配置され、外周面に第２カッター（３３１）が一定間隔で設置される第２回転軸（３３０）、
前記第１回転軸（３２０）と前記第２回転軸（３３０）との間隔を調節する軸間調節機（３４０）、
前記第１カッター（３２１）の間に位置されるように前記ハウジング（３１０）に固定設置される固定カッター（３５０）、及び、
前記第１回転軸（３２０）の周りに複数固定され、前記固定カッター（３５０）との微細間隔を維持しながら対応されるように備えられる回転カッター（３６０）、から構成されることを特徴とする請求項１に記載の廃棄物及び従量制袋破袋機。
【請求項３】
前記コンテナ（１００）は、集塵機を設置して破袋時に発生する微細ほこりを捕集するようにすることを特徴とする請求項１または２に記載の廃棄物及び従量制袋破袋機。
【請求項４】
前記コンテナ（１００）は、ドア（１１０）が設置され、前記ドア（１１０）の開放時にメイン電源が遮断されるようにすることを特徴とする請求項１または２に記載の廃棄物及び従量制袋破袋機。
【請求項５】
前記コンテナ（１００）は、装置の負荷発生時にブザーが鳴るようするとともにメイン電源が遮断されるようにし、ＣＣＴＶを設置して映像を移動通信端末で伝送するようにすることを特徴とする請求項１または２に記載の廃棄物及び従量制袋破袋機。
【発明の詳細な説明】
【技術分野】
【０００１】
本発明は、廃棄物及び従量制袋破袋機に関し、より詳細には、袋に入っているリサイクル品の選別作業のために投入された袋を９０％以上開放し、ドラムに紐が巻かれる現象を防止しながら、袋が一定量ずつ供給されるようにして投入による負荷を防止するとともに、ほこりの流出防止及び安全事故を防止する、廃器物及び従量制袋破袋機に関する。
【背景技術】
【０００２】
一般的に、一戸建て、アパート、産業地域、工場などで発生するリサイクル品やごみは袋や麻袋など入れられて収集される。リサイクル品の分別収集するためには選別場所に供給されて多くの人力が袋を開封してリサイクル品を選別及び収集する。
【０００３】
しかし、このように、多くの人力の投入の時、人力の投入による費用が上昇し、危険物質や開封時に使用する鋭い道具による安全事故が頻繁に発生する問題点がある。
【０００４】
このような問題を解決する破袋機が本出願人により特許出願されて韓国登録特許第１０−１６５８５２０号公報に登録されていおり、その構造を見ると、枠体を形成しながらその内部に各構成品を収容するハウジング、外周面に第１カッターが一定間隔で設置される第１回転軸、第１回転軸と対向して配置され、外周面に第２カッターが一定間隔で設置される第２回転軸、第１回転軸や第２回転軸を支持しながらハウジングの案内溝に挿入されて側方向にスライディングすることにより、第１回転軸との距離を可変させる支持スライダ、からなる。このような構造により投入される袋のサイズによって第１回転軸と第２回転軸の間隔を調節することにより、破袋効率を極大化させる効果がある。
【０００５】
また、本出願人によりひも巻き込みを防止する特許が韓国登録特許第１０−１９７０７１６号公報として登録されており、その構造を見ると、枠体を形成しながらその内部に各構成品を収容するハウジング、外周面に第１カッターが一定間隔で設置される第１回転軸、第１回転軸と対向して配置され、外周面に第２カッターが一定間隔で設置される第２回転軸、第１カッターの間に位置されるようにハウジングに固定設置される固定カッター、第１回転軸の周囲に複数固定され、前記固定カッターとの微細間隔を維持しながら対応されるように備えられる回転カッター、からなる。このような構造により投入される袋が破袋されながらひもの形態になって回転軸に巻き込まれようとするとき、固定カッター及び回転カッターによりカットされることにより破袋効率が維持され、ひも巻き込みよる装置の負荷が発生しない効果がある。
【０００６】
しかし、このような破袋機は、掃除及び部品交替などの管理のとき、装置の駆動により安全事故が発生する可能性があり、破袋する過程で発生する微細ほこりなどにより呼吸器疾患が発生する可能性があり、装置の移動に困難があった。
【０００７】
また、リサイクル品が過剰に投入される場合、駆動系及びこれと連結されて作動する部品に負荷が発生するか、破袋がきちんと行われないという問題点があった。
【先行技術文献】
【特許文献】
【０００８】
【特許文献１】韓国登録特許第１０−１９７０７１６号公報
【特許文献２】韓国登録特許第１０−１６５８５２０号公報
【発明の概要】
【発明が解決しようとする課題】
【０００９】
従って、本発明は、従来のような問題点を解決するために創案したものであり、ひも巻き込み防止機能と回転軸の間隔調節機能を維持するとともに定量の供給が行われるようにし、装置をコンテナにユニットシステム化して移動が容易になるようにしながら密閉及び集塵装置を設置して微細ほこりの流出を防止し、ドア開閉時にフルシャットダウンできる廃棄物及び従量制袋破袋機を提供することを目的とする。
【課題を解決するための手段】
【００１０】
前記目的を達成するための本発明による廃棄物及び従量制袋破袋機は、
内部に空間を有するコンテナ、
コンテナの上部に備えられてリサイクル品が入った袋が投入されるホッパー、
コンテナの内部に設置されて供給された袋を破袋する破袋手段、及び、
ホッパーから投入された袋を破袋機に供給する定量供給機、を含むことを特徴とする。
【００１１】
また、前記コンテナは、集塵機を設置して破袋時に発生する微細ほこりを捕集するようにすることを特徴とする。
【００１２】
また、前記コンテナはドアを設置し、ドアの開放時にメイン電源が遮断されるようにすることを特徴とする。
【００１３】
また、前記コンテナは、装置の負荷発生時のブザーが鳴るようにするとともにメイン電源が遮断されるようにし、ＣＣＴＶを設置して映像を移動通信端末に伝送するようにすることを特徴とする。
【００１４】
また、前記破袋手段は、枠体を形成して、枠体の内部に各構成品を収容するハウジング、外周面に第１カッターが一定間隔で設置される第１回転軸、第１回転軸と対向して配置され、外周面に第２カッターが一定間隔で設置される第２回転軸、及び、第１回転軸と第２回転軸の間隔を調節する軸間調節機で構成されることを特徴とする。
【００１５】
また、前記破袋手段は、枠体を形成して、枠体の内部に各構成品を収容するハウジング、外周面に第１カッターが一定間隔で設置される第１回転軸、第１回転軸と対向して配置され、外周面に第２カッターが一定間隔で設置される第２回転軸、第１カッターの間に位置されるようにハウジングに固定設置される固定カッター、及び、第１回転軸の周りに複数固定され、前記固定カッターとの微細間隔を維持して対応されるように備えられる回転カッターから構成されることを特徴とする。
【００１６】
また、前記定量供給機は、ホッパーの下部両側と破袋機の上部両側にそれぞれ備えられるスプロケット、スプロケットに巻かれて回転するチェーン、両チェーン間を連結し、長さ方向に一定間隔で設置される横帯、チェーンの下部に設置されてチェーンの垂れを防止する基台、横帯の周りに巻かれるベルト、ベルトの周りに一定間隔で垂直に設置される区画板、ベルトの上部両側に備えられる側板、上段は側板に固定され、下段はベルトの上段に置かれて側板とベルトの間の隙間を遮断する遮蔽板、及び、ベルトの下部に備えられ、ベルトに沿ってリターンされる過程で落下する異物を支えるゴミ取りを含むことを特徴とする。
【発明の効果】
【００１７】
本発明による廃棄物及び従量制袋破袋機は以下のような効果がある。
【００１８】
第一に、定量供給機によりペイローダー、クラフト、コンベヤなどのいかなる投入条件でも破袋機に定量で供給されるので、装備の過負荷を根本的に防止し、それにより極大化された破袋効率を維持する効果がある。
【００１９】
第二に、密閉型コンテナ構造と集塵機により破袋時に発生する微細ほこりを捕集して微細ほこりが外部に排出されるのを防ぎ、これにより周辺環境が清潔になる効果がある。
【００２０】
第三に、作業者がコンテナの内部に進入するためにドアを開放する場合、メイン電源がフルシャットダウンすることにより安全事故を根本的に防止する効果がある。
【００２１】
第四に、インターネットを活用したネットワーク遠隔制御により破袋機の破袋場面を携帯端末機によりリアルタイム映像で確認可能であるため、管理の利便性を提供し、修理が必要になった時に録画された映像から故障の原因を容易に確認することができる効果がある。
【００２２】
第五に、麻袋などの袋が破袋されながら回転軸に紐の形態で巻かれようとする場合、固定カッター及び回転カッターにより切断されることにより紐が巻かれる現象を防止し、これによりひも巻き込みの除去のための掃除が必要ではなく、破袋効率が持続する効果もある。
【００２３】
第六に、投入される袋のサイズによって第１回転軸と第２回転軸間の間隔を調節することにより袋が９０％以上破袋されるので、破袋効率を極大化することができる効果がある。
【００２４】
第七に、コンテナ形態にユニットシステム化することにより移動が容易であり、工場で製造した後、現場で速やかに設置可能である効果がある。
【図面の簡単な説明】
【００２５】
【図１】図１は、本発明による破袋機を示した斜視図。
【図２】図２は、本発明による破袋機を示した正面図。
【図３】図３は、本発明による破袋機を示した平面図。
【図４】図４は、本発明による破袋手段の構造を示した平面図。
【図５】図５は、本発明による破袋手段の回転軸及びカッターを示した斜視図。
【図６】図６は、本発明による破袋手段の構造を示した正面図。
【図７】図７は、本発明による固定カッターの構造を示した要部拡大図。
【図８】図８は、本発明による固定カッターの構造を示した断面図。
【図９】図９は、本発明による定量供給機の構造を示した側面図。
【図１０】図１０は、本発明による定量供給機の構造を示した平面図。
【図１１】図１１は、本発明による定量供給機の構造を示した正面図。
【図１２】図１２は、本発明による定量供給機の構造を示した要部拡大図。
【発明を実施するための形態】
【００２６】
以下、本発明による廃棄物及び従量制袋破袋機の好ましい実施例を添付した図面を参照して詳細に説明する。
【００２７】
図１は本発明による破袋機を示した斜視図であり、図２は破袋機を示した正面図、図３は破袋機を示した平面図、図４は破袋機の構造を示した平面図、図５は破袋機の回転軸及びカッターを示した斜視図、図６は破袋機の構造を示した正面図、図７は固定カッターの構造を示した要部拡大図、図８は固定カッターの構造を示した断面図、図９は、定量供給機の構造を示した側面図、図１０は定量供給機の構造を示した平面図、図１１は定量供給機の構造を示した正面図、図１２は、定量供給機の構造を示した要部拡大図である。
【００２８】
これらの図面に示すように、本発明による廃棄物及び従量制袋破袋機は、内部に空間を有するコンテナ（１００）、コンテナ（１００）の上部に備えられてリサイクル品が入った袋が投入されるホッパー（２００）、コンテナ（１００）の内部に設置されて供給された袋を破袋する破袋手段（３００）、及びホッパー（２００）から投入された袋を破袋手段（３００）に供給する定量供給機（４００）を含む。
【００２９】
前記コンテナ（１００）は、内部に空間を有する密閉されたボックス形状を有する。コンテナの一側上部にはリサイクル品は入った袋が投入されるホッパー（２００）が備えられ、一面にはドア（１１０）が設置される。
【００３０】
ドア（１１０）は、側方向にスライディングされる構造を有し、油圧方式のワンタッチ自動開閉されるようにすることにより作業者が点検及び保守をする時にコンテナ内への進入を便利にする。ただし、ドア（１１０）の開放時にメイン電源が遮断されるようにして、発生可能性のある安全事故を根源的に防止する。
【００３１】
そして、前記コンテナ（１００）は、集塵機を設置して破袋時に発生する微細ほこりを捕集して外部に微細ほこりが排出されることを最小化する。
【００３２】
また、図面に示すように、複数のフレームとプレートを利用してコンテナの下部に脚及び階段などが設置できることを明らかにしておく。
【００３３】
前記コンテナ（１００）は、装置の負荷発生時にブザーが鳴るようにするとともにメイン電源が遮断されるようにし、ＣＣＴＶを設置して映像を録画及び移動通信端末機に伝送されるようにして、リアルタイムに管理できるようにすることにより、問題発生時の原因を迅速に確認できるようにする。
【００３４】
前記破袋手段（３００）は、コンテナ（１００）の内部に設置されてホッパー（２００）から流入した袋を破袋するものであり、枠体を形成しながらその内部に各構成品を収容するハウジング（３１０）、外周面に第１カッター（３２１）が一定間隔で設置される第１回転軸（３２０）、第１回転軸（３２０）と対向して配置され、外周面に第２カッター（３３１）が一定間隔で設置される第２回転軸（３３０）、及び、第１回転軸（３２０）と第２回転軸（３３０）の間隔を調節する軸間調節機（３４０）からなる。
【００３５】
前記ハウジング（３１０）は、中空の函体形状として枠体を形成し、その内部に後述される構成要素を収容する。
【００３６】
前記第１回転軸（３２０）は、駆動モーターからチェーン又はカップリングを介して回転力が伝達されると、その軸を中心に回転し、第１カッター（３２１）が外周面を囲む形態で備えられ、第１回転軸（３２０）の長さ方向に一定間隔を置いて複数備えられる。
【００３７】
前記第２回転軸（３３０）は、第１回転軸（３２０）の側部に平行に対向して配置され、駆動モーターの動力によりギアボックスを介して回転され、第２カッター（３３１）が外周面を囲む形状で備えられるとともに、第２回転軸（３３０）の長さ方向に一定間隔を置いて複数備えられる。ただし、第１カッター（３２１）の間に第２カッター（３３１）が間隔を維持して配置されて互いに干渉が発生しないようにする。
【００３８】
前記第１カッター（３２１）の刃の方向は第２カッター（３３１）の刃の方向と互いに逆になるように備えられ、第１回転軸（３２０）と第２回転軸（３３０）は相異なる方向に回転し、第１回転軸（３２０）は、第２回転軸（３３０）より速く回転する。
【００３９】
従って、上部から袋が投入されると、第１回転軸（３２０）と第２回転軸（３３０）が回転して投入された袋を下に引き降ろし、第２回転軸（３３０）より速く回転する第１回転軸（３２０）により第２カッター（３３１）が袋を支える瞬間、第１カッター（３２１）が袋を押しながら破袋する。
【００４０】
一方、前記軸間調節機（３４０）は、第１回転軸（３２０）と第２回転軸（３３０）の間隔を調節するためのものであり、第１回転軸（３２０）又は第２回転軸（３３０）を支持しながらハウジング（３１０）の案内溝（３４１）に挿入されて側方向にスライディングするスライダ（３４２）、及び、スライダ（３４２）を移動させる移動手段（３４３）からなる。
【００４１】
前記スライダ（３４２）は、ハウジング（３１０）の両側に備えられた案内溝（３４１）にそれぞれ挿入されて案内溝（３４１）に沿ってスライディング移動する。スライダ（３４２）は第１回転軸（３２０）又は第２回転軸（３３０）を支持しながら円滑な回転のためにベアリングが設置される。
【００４２】
前記移動手段（３４３）は、ハウジング（３１０）に設置されてスライダ（３４２）を押すか引くことができるようにシリンダー方式やスクリュー方式などが用いられる。
【００４３】
シリンダー方式の場合、シリンダーはハウジングに固定設置され、シリンダーから出没するシリンダーロッドは、スライダーに連結してシリンダーの駆動により移動するようにする。
【００４４】
スクリュー方式の場合、モーターにより回転するスクリューをハウジングに固定されて回転するように設置し、スライダに雌ネジ山を貫通形成してスクリューと締結されるようにすることにより、スクリューの回転方向に応じて移動するようにする。
【００４５】
このように軸間調節機（３４０）により投入される対象物によって第１回転軸（３２０）と第２回転軸（３３０）の間隔を調節することにより、サイズ別に装置を備える必要がなく、破袋効率が極大化する効果がある。
【００４６】
一方、前記ハウジング（３１０）には第１カッター（３２１）の間に位置して固定される固定カッター（３５０）と、第１回転軸（３２０）の周りに複数固定され、固定カッター（３５０）と微細間隔を維持しながら対応設置される回転カッター（３６０）が備えられる。
【００４７】
前記固定カッター（３５０）は、四角ブロック形状からなり、第１回転軸（３２０）方向にまっすぐに形成される突起（３５１）を上下面に形成し、そして、前記ハウジング（３１０）は、固定カッター（３５０）が密着設置されるベース（３１１）を備えるものの、固定カッター（３５０）の突起（３５１）が挟まれてスライディングできるスライド溝（３１２）を側方向に連続して複数形成する。ここで、スライド溝（３１２）は、第１回転軸（３２０）を向くようにする。固定カッター（３５０）の底面にはボルトにより固定されるカバー（３１３）を備えて異物が固定カッター（３５０）に流入されることを遮断する。
【００４８】
このような固定カッター（３５０）及び回転カッター（３６０）によりひもなどが第１回転軸（３２０）に巻かれようとすると、緊密に接触する固定カッター（３５０）及び回転カッター（３６０）により切断されることにより、ひも巻きこみ現象が発生しないため、掃除が必要なく、負荷が発生しない。
【００４９】
前記定量供給機（４００）は、ホッパー（２００）から投入された袋を破袋機（３００）に案内するためのものであり、ホッパー（２００）の下部両側と破袋手段（３００）の上部両側にそれぞれ備えられるスプロケット（４１０）、スプロケット（４１０）に巻かれて回転するチェーン（４２０）、両チェーン（４２０）間を連結し、長さ方向に一定間隔で設置される横帯（４３０）、チェーン（４２０）の下部に設置されてチェーン（４２０）の垂れを防止する基台（４４０）、横帯（４３０）の周りに巻かれるベルト（４５０）、ベルト（４５０）の周りに一定間隔で垂直に設置される区画板（４６０）、ベルト（４５０）の上部両側に備えられる側板（４７０）、上段は側板（４７０）に固定され、下段はベルト（４５０）の上段に置かれて側板（４７０）とベルト（４５０）の間の隙間を遮断する遮蔽板（４８０）、及び、ベルト（４５０）の下部に装備されてベルト（４５０）に沿ってリターンされる過程で落下する異物を支えるゴミ取り（４９０）から構成される。
【００５０】
前記スプロケット（４１０）はホッパー（２００）の下部両側に一つずつ、破袋手段（３００）の上部両側に一つずつ計４つが回転するように設置され、両側のスプロケット（４１０）にチェーン（４２０）がそれぞれ設置される。このような両チェーン（４２０）は、左右対称されるように備えられ、両チェーン（４２０）間を長い横帯（４３０）が横切って連結されるが、チェーン（４２０）の長さ方向に一定の間隔を維持しながら複数設置される。ここで、横帯（４３０）はチェーン（４２０）の内側面に溶接される「Ｌ」字状の固定片にボルト締めで固定される。
【００５１】
そして、横帯（４３０）の周りにベルト（４５０）が巻かれて設置され、ベルト（４５０）の周りに区画板（４６０）が垂直に一定間隔で複数設置される。このような区画板（４６０）は投入される袋を引きずって移送させるようになる。ここで、横帯（４３０）とベルト（４５０）そして区画板（４６０）はボルト締めにより一体化される。
【００５２】
前記基台（４４０）はチェーン（４２０）の下部に位置されるもので、ベルト（４５０）の上部に袋が投入されると、荷重によりベルト（４５０）及びこれと連結されたチェーン（４２０）が垂れる現象が発生するが、基台（４４０）がチェーン（４２０）を支えることにより垂れる現象を防止する。これは、ベルト（４５０）がたぶたぶと揺れることを防止し、部品の寿命を延長することになる。ここで、基台（４４０）の上面には水平の長い板形状のスリップ板（４４１）を設置してチェーン（４２０）とスリップ板（４４１）が接触することにより、基台（４４０）の磨耗を防止する。繰り返される使用により、スリップ板（４４１）が摩耗されると、スリップ板（４４１）のみをを交換して使用する。
【００５３】
前記側板（４７０）は、上部ベルト（４５０）の両側に垂直に設置されるものであり、投入された袋がベルト（４５０）の両側から落下することを防止する。そして、側板（４７０）とベルト（４５０）との間には遮蔽板（４８０）を設置して側板（４７０）とベルト（４５０）の間の隙間を遮断する。ここで、遮蔽板（４８０）は、自体弾性復元力を有するゴム又はウレタン素材であり、その上段が側板（４７０）に固定され、下段には内側に巻かれてベルト（４５０）の上段に接触される。
【００５４】
さらに、前記リターンするベルト（４５０）の下部には板形状のごみ取り（４９０）が設置される。ゴミ取り（４９０）はベルト（４５０）に付いている残りの異物がベルト（４５０）を乗ってリターンする過程でゴミ取り（４９０）に落ちて集まるようにしたものである。ここで、ゴミ取り（４９０）は傾斜して形成され、その末端に回収箱を設置することにより、落下された異物が収集箱に集まるようにする。
【００５５】
このような構造になっている破袋機は、定量供給機（４００）により一定量ずつ供給されるので、負荷が発生せず、清潔な状態を維持することができる。
【符号の説明】
【００５６】
１００：コンテナ
１１０：ドア
２００：ホッパー
３００：破袋手段
３１０：ハウジング
３１１：ベース
３１２：スライド溝
３１３：カバー
３２０：第１回転軸
３２１：第１カッター
３３０：第２回転軸
３３１：第２カッター
３４０：軸間調節機
３４１：案内溝
３４２：スライダ
３４３：移動手段
３５０：固定カッター
３６０：回転カッター
４００：定量供給機
４１０：スプロケット
４２０：チェーン
４３０：横帯
４４０：基台
４４１：スリップ板
４５０：ベルト
４６０：区画板
４７０：側板
４８０：遮蔽板
４９０：ゴミ取り
【図１】
0006917082.tif 000002
【図２】
0006917082.tif 000003
【図３】
0006917082.tif 000004
【図４】
0006917082.tif 000005
【図５】
0006917082.tif 000006
【図６】
0006917082.tif 000007
【図７】
0006917082.tif 000008
【図８】
0006917082.tif 000009
【図９】
0006917082.tif 000010
【図１０】
0006917082.tif 000011
【図１１】
0006917082.tif 000012
【図１２】
0006917082.tif 000013